(57)【要約】  本発明は、近接サービス許可方法、装置及びシステムを開示する。第１のネットワーク側エンティティは、第１のユーザ装置により送信された第１のリクエストメッセージを受信し、ここで、第１のリクエストメッセージは第１のユーザ装置の識別情報及びアプリケーション識別子を有し、第１のユーザ装置の取得された近接サービスコンフィギュレーションデータに少なくとも従って、第１のユーザ装置がアプリケーション識別子に対応する近接サービスを実行可能であると判定される。このようにして、第１の近接サービスサーバは、近接サービスを必要とする２つのユーザ装置を許可及び認証し、ユーザ装置の近接サービスのサービス品質が保証できる。
2016524393.tif 000002
【特許請求の範囲】
【請求項１】
近接サービス許可方法であって、
第１のネットワーク側エンティティが、第１のユーザ装置により送信された第１のリクエストメッセージを受信するステップであって、前記第１のリクエストメッセージは、前記第１のユーザ装置の識別情報及びアプリケーション識別子を有する、受信するステップと、
前記第１のユーザ装置の取得された近接サービスコンフィギュレーションデータに少なくとも従って、前記第１のユーザ装置が前記アプリケーション識別子に対応する近接サービスを実行可能であると判定するステップと、
を有する近接サービス許可方法。
【請求項２】
前記第１のユーザ装置の近接サービスコンフィギュレーションデータを取得することは、前記第１のネットワーク側エンティティが、前記第１のユーザ装置により送信された第１の情報を受信することを有し、前記第１の情報は、以下の１つ以上、前記第１のユーザ装置が検出すること、検出されること、近接サービス通信を実行することが許可されているか、及び前記第１のユーザ装置の近接サービス通信の範囲を有する、請求項１記載の方法。
【請求項３】
前記第１のユーザ装置の近接サービスコンフィギュレーションデータを取得することは、前記第１のネットワーク側エンティティが、第２のネットワーク側エンティティにより送信された第１のユーザの第２の情報を受信することを有し、前記第２の情報は、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有する、請求項１記載の方法。
【請求項４】
前記第１のユーザ装置の近接サービス通信の範囲は、近接サービスを利用可能な前記第１のユーザ装置のアプリケーションの識別子を有する、請求項２又は３記載の方法。
【請求項５】
前記第１のユーザ装置がビジティッド・パブリック・ランド・モバイル・ネットワークＶＰＬＭＮにおいて近接サービスを実行することが許可され、且つ、前記第１のネットワーク側エンティティが前記ビジティッド・パブリック・ランド・モバイル・ネットワークＶＰＬＭＮのネットワーク側エンティティである場合、前記第１のユーザ装置の近接サービスコンフィギュレーションデータを取得することは、前記第１のネットワーク側エンティティが、第２のリクエストメッセージを第３のネットワーク側エンティティに送信することを有し、前記第３のネットワーク側エンティティが前記第２のリクエストメッセージに従って前記第１のユーザ装置の近接サービスコンフィギュレーションデータを前記第１のネットワーク側エンティティに送信するように、前記第２のリクエストメッセージは前記第１のユーザ装置の識別情報を有する、請求項１乃至４何れか一項記載の方法。
【請求項６】
前記第１のリクエストメッセージは更に第２のユーザ装置の識別情報を有し、前記第１のユーザ装置及び前記第２のユーザ装置は同一のパブリック・ランド・モバイル・ネットワークＰＬＭＮに属さず、
前記第１のネットワーク側エンティティが第１のユーザ装置により送信された第１のリクエストメッセージを受信するステップの後に、前記第１のネットワーク側エンティティが、前記第１のユーザ装置の取得された近接サービスコンフィギュレーションデータに少なくとも従って、前記第１のユーザ装置が前記アプリケーション識別子に対応するパブリック・ランド・モバイル・ネットワークＰＬＭＮ間の近接サービスを実行可能であると判定するステップを更に有する、請求項１乃至４何れか一項記載の方法。
【請求項７】
近接サービス許可方法であって、
第１のユーザ装置が、第１のリクエストメッセージを第１のネットワーク側エンティティに送信するステップであって、前記第１のネットワーク側エンティティが前記第１のユーザ装置の取得された近接サービスコンフィギュレーションデータに少なくとも従って、前記第１のユーザ装置がアプリケーション識別子に対応する近接サービスを実行可能であると判定するように、前記第１のリクエストメッセージは前記第１のユーザ装置の識別情報及び前記アプリケーション識別子を有する、送信するステップと、
前記第１のネットワーク側エンティティが、前記第１のユーザ装置が前記アプリケーション識別子に対応する近接サービスを実行可能であると判定した後に、前記第１のユーザ装置が、前記アプリケーション識別子に対応する近接サービスを実行するステップと、
を有する近接サービス許可方法。
【請求項８】
前記第１のユーザ装置の近接サービスコンフィギュレーションデータは、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有し、
前記第１のユーザ装置の近接サービス通信の範囲は、近接サービスを利用可能な前記第１のユーザ装置のアプリケーションの識別子を有する、請求項７記載の方法。
【請求項９】
第１のネットワーク側エンティティであって、
第１のユーザ装置により送信された第１のリクエストメッセージを受信するよう構成される受信モジュールであって、前記第１のリクエストメッセージは前記第１のユーザ装置の識別情報及びアプリケーション識別子を有する、受信モジュールと、
前記第１のユーザ装置の近接サービスコンフィギュレーションデータを取得するよう構成される取得モジュールと、
前記第１のユーザ装置の取得された近接サービスコンフィギュレーションデータに少なくとも従って、前記第１のユーザ装置が前記アプリケーション識別子に対応する近接サービスを実行可能であると判定するよう構成される判定モジュールと、
を有する第１のネットワーク側エンティティ。
【請求項１０】
前記取得モジュールは、具体的には、前記第１のユーザ装置により送信された第１の情報を受信するよう構成され、前記第１の情報は、以下の１つ以上、前記第１のユーザ装置が検出すること、検出されること、近接サービス通信を実行することが許可されているか、及び前記第１のユーザ装置の近接サービス通信の範囲を有する、請求項９記載のネットワーク側エンティティ。
【請求項１１】
前記取得モジュールは更に、具体的には、第２のネットワーク側エンティティにより送信された第１のユーザの第２の情報を受信するよう構成され、前記第２の情報は、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有する、請求項９記載のネットワーク側エンティティ。
【請求項１２】
前記第１のユーザ装置の近接サービス通信の範囲は、近接サービスを利用可能な前記第１のユーザ装置のアプリケーションの識別子を有する、請求項１０又は１１記載のネットワーク側エンティティ。
【請求項１３】
前記第１のユーザ装置がビジティッド・パブリック・ランド・モバイル・ネットワークＶＰＬＭＮにおいて近接サービスを実行することが許可され、且つ、前記第１のネットワーク側エンティティが前記ビジティッド・パブリック・ランド・モバイル・ネットワークＶＰＬＭＮのネットワーク側エンティティである場合、前記取得モジュールは、具体的には、第３のネットワーク側エンティティが第２のリクエストメッセージに従って前記第１のユーザ装置の近接サービスコンフィギュレーションデータを前記第１のネットワーク側エンティティに送信するように、前記第２のリクエストメッセージを前記第３のネットワーク側エンティティに送信するよう構成され、前記第２のリクエストメッセージは前記第１のユーザ装置の識別情報を有する、請求項９乃至１２何れか一項記載のネットワーク側エンティティ。
【請求項１４】
前記第１のリクエストメッセージは更に第２のユーザ装置の識別情報を有し、前記第１のユーザ装置及び前記第２のユーザ装置は同一のパブリック・ランド・モバイル・ネットワークＰＬＭＮに属さず、
前記判定モジュールは更に、前記第１のユーザ装置の取得された近接サービスコンフィギュレーションデータに少なくとも従って、前記第１のユーザ装置が前記アプリケーション識別子に対応するパブリック・ランド・モバイル・ネットワークＰＬＭＮ間の近接サービスを実行可能であると判定するよう構成される、請求項９乃至１２何れか一項記載のネットワーク側エンティティ。
【請求項１５】
ユーザ装置であって、
第１のリクエストメッセージを第１のネットワーク側エンティティに送信するよう構成される送信モジュールであって、前記第１のネットワーク側エンティティが前記第１のユーザ装置の取得された近接サービスコンフィギュレーションデータに少なくとも従って、前記第１のユーザ装置がアプリケーション識別子に対応する近接サービスを実行可能であると判定するように、前記第１のリクエストメッセージは前記第１のユーザ装置の識別情報及び前記アプリケーション識別子を有する、送信モジュールと、
前記第１のネットワーク側エンティティが、前記第１のユーザ装置が前記アプリケーション識別子に対応する近接サービスを実行可能であると判定した後に、前記第１のユーザ装置が、前記アプリケーション識別子に対応する近接サービスを実行するよう構成される処理モジュールと、
を有するユーザ装置。
【請求項１６】
前記第１のユーザ装置の近接サービスコンフィギュレーションデータは、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有し、
前記第１のユーザ装置の近接サービス通信の範囲は、近接サービスを利用可能な前記第１のユーザ装置のアプリケーションの識別子を有する、請求項１５記載のユーザ装置。
【請求項１７】
ユーザ装置及び第１のネットワーク側エンティティを有する近接サービス許可システムであって、
前記ユーザ装置は、請求項１５又は１６記載のユーザ装置であり、
前記ネットワーク側エンティティは、請求項９乃至１４何れか一項記載のネットワーク側エンティティである近接サービス許可システム。
【発明の詳細な説明】
【技術分野】
【０００１】
本発明の実施例は、通信技術の分野に関し、特に近接サービス許可方法、装置及びシステムに関する。
【背景技術】
【０００２】
モバイル通信ネットワークでは、ユーザ装置の間のデータ通信が、サービングゲートウェイ（Ｓｅｒｖｉｎｇ  Ｇａｔｅｗａｙ，ＳＧＷ）／パケットデータネットワーク（Ｐａｃｋｅｔ  Ｄａｔａ  Ｎｅｔｗｏｒｋ  Ｇａｔｅｗａｙ，ＰＧＷ）などのコアネットワークエンティティを介し実行される必要がある。従って、より高いネットワーク送信帯域幅がコアネットワークエンティティにより必要とされ、コアネットワークエンティティのより重いネットワーク送信負担を導く。データが互いに近くにある２つのユーザ装置の間で送信される必要があったとしても、送信はコアネットワークを利用することによって依然として実行される必要があり、より低い送信効率をもたらす。
【０００３】
現在、コアネットワークエンティティのネットワーク送信負担を減少させるため、近接サービス（Ｐｒｏｘｉｍｉｔｙ  Ｓｅｒｖｉｃｅｓ，ＰｒｏＳｅ）処理方法が利用され、これにより、互いに近くにある２つのユーザ装置は、コアネットワークエンティティを利用することによってデータ通信を実行する必要なくデータ通信を直接実行可能であり、送信効率を向上させることができる。
【０００４】
しかしながら、既存の近接サービス実現処理及び方法では、ＰｒｏＳｅサーバ（Ｐｒｏｓｅ  Ｓｅｒｖｅｒ）は、近接サービスを利用してユーザ装置を許可及び認証する必要はなく、この結果、ＰｒｏＳｅサーバは、モバイル端末のユーザ装置の近接サービスを適切に制御できず、従って、ユーザ装置の近接サービスのサービス品質は保証できない。
【発明の概要】
【０００５】
本発明は、既存の近接サービス許可方法における以下の問題を解決するのに利用される近接サービス許可方法、装置及びシステムを提供する。近接サービスサーバは近接サービスを利用してユーザ装置を許可及び認証する必要がないため、近接サービスサーバは、モバイル端末のユーザ装置の近接サービスを適切に制御できず、従って、ユーザ装置の近接サービスのサービス品質が保証できない。
【０００６】
第１の態様によると、近接サービス許可方法であって、
第１のネットワーク側エンティティが、第１のユーザ装置により送信された第１のリクエストメッセージを受信するステップであって、前記第１のリクエストメッセージは、前記第１のユーザ装置の識別情報及びアプリケーション識別子を有する、受信するステップと、
前記第１のユーザ装置の取得された近接サービスコンフィギュレーションデータに少なくとも従って、前記第１のユーザ装置が前記アプリケーション識別子に対応する近接サービスを実行可能であると判定するステップと、
を有する近接サービス許可方法が提供される。
【０００７】
第１の態様に基づき、第１の可能な実現方式では、前記第１のユーザ装置の近接サービスコンフィギュレーションデータを取得することは、
前記第１のネットワーク側エンティティが、前記第１のユーザ装置により送信された第１の情報を受信することを有し、前記第１の情報は、以下の１つ以上、前記第１のユーザ装置が検出すること、検出されること、近接サービス通信を実行することが許可されているか、及び前記第１のユーザ装置の近接サービス通信の範囲を有する。
【０００８】
第１の態様に基づき、第２の可能な実現方式では、前記第１のユーザ装置の近接サービスコンフィギュレーションデータを取得することは、
前記第１のネットワーク側エンティティが、第２のネットワーク側エンティティにより送信された第１のユーザの第２の情報を受信することを有し、前記第２の情報は、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有する。
【０００９】
第１の態様の第１又は第２の可能な実現方式に基づき、第３の可能な実現方式では、前記第１のユーザ装置の近接サービス通信の範囲は、近接サービスを利用可能な前記第１のユーザ装置のアプリケーションの識別子を有する。
【００１０】
第１の態様又は第１の態様の第１から第３の可能な実現方式の何れか１つに基づき、第４の可能な実現方式では、前記第１のユーザ装置がビジティッド・パブリック・ランド・モバイル・ネットワークＶＰＬＭＮにおいて近接サービスを実行することが許可され、且つ、前記第１のネットワーク側エンティティが前記ビジティッド・パブリック・ランド・モバイル・ネットワークＶＰＬＭＮのネットワーク側エンティティである場合、前記第１のユーザ装置の近接サービスコンフィギュレーションデータを取得することは、
前記第１のネットワーク側エンティティが、第２のリクエストメッセージを第３のネットワーク側エンティティに送信することを有し、前記第３のネットワーク側エンティティが前記第２のリクエストメッセージに従って前記第１のユーザ装置の近接サービスコンフィギュレーションデータを前記第１のネットワーク側エンティティに送信するように、前記第２のリクエストメッセージは前記第１のユーザ装置の識別情報を有する。
【００１１】
第１の態様又は第１の態様の第１から第３の可能な実現方式の何れか１つに基づき、第５の可能な実現方式では、前記第１のリクエストメッセージは更に第２のユーザ装置の識別情報を有し、前記第１のユーザ装置及び前記第２のユーザ装置は同一のパブリック・ランド・モバイル・ネットワークＰＬＭＮに属さず、
前記第１のネットワーク側エンティティが第１のユーザ装置により送信された第１のリクエストメッセージを受信するステップの後に、
前記第１のネットワーク側エンティティが、前記第１のユーザ装置の取得された近接サービスコンフィギュレーションデータに少なくとも従って、前記第１のユーザ装置が前記アプリケーション識別子に対応するパブリック・ランド・モバイル・ネットワークＰＬＭＮ間の近接サービスを実行可能であると判定するステップを更に有する。
【００１２】
第２の態様によると、近接サービス許可方法であって、
第１のユーザ装置が、第１のリクエストメッセージを第１のネットワーク側エンティティに送信するステップであって、前記第１のネットワーク側エンティティが前記第１のユーザ装置の取得された近接サービスコンフィギュレーションデータに少なくとも従って、前記第１のユーザ装置がアプリケーション識別子に対応する近接サービスを実行可能であると判定するように、前記第１のリクエストメッセージは前記第１のユーザ装置の識別情報及び前記アプリケーション識別子を有する、送信するステップと、
前記第１のネットワーク側エンティティが、前記第１のユーザ装置が前記アプリケーション識別子に対応する近接サービスを実行可能であると判定した後に、前記第１のユーザ装置が、前記アプリケーション識別子に対応する近接サービスを実行するステップと、
を有する近接サービス許可方法が提供される。
【００１３】
第２の態様に基づき、第１の可能な実現方式では、前記第１のユーザ装置の近接サービスコンフィギュレーションデータは、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有し、
前記第１のユーザ装置の近接サービス通信の範囲は、近接サービスを利用可能な前記第１のユーザ装置のアプリケーションの識別子を有する。
【００１４】
第３の態様によると、第１のネットワーク側エンティティであって、
第１のユーザ装置により送信された第１のリクエストメッセージを受信するよう構成される受信モジュールであって、前記第１のリクエストメッセージは前記第１のユーザ装置の識別情報及びアプリケーション識別子を有する、受信モジュールと、
前記第１のユーザ装置の近接サービスコンフィギュレーションデータを取得するよう構成される取得モジュールと、
前記第１のユーザ装置の取得された近接サービスコンフィギュレーションデータに少なくとも従って、前記第１のユーザ装置が前記アプリケーション識別子に対応する近接サービスを実行可能であると判定するよう構成される判定モジュールと、
を有する第１のネットワーク側エンティティが提供される。
【００１５】
第３の態様に基づき、第１の可能な実現方式では、前記取得モジュールは、具体的には、前記第１のユーザ装置により送信された第１の情報を受信するよう構成され、前記第１の情報は、以下の１つ以上、前記第１のユーザ装置が検出すること、検出されること、近接サービス通信を実行することが許可されているか、及び前記第１のユーザ装置の近接サービス通信の範囲を有する。
【００１６】
第３の態様に基づき、第２の可能な実現方式では、前記取得モジュールは更に、具体的には、第２のネットワーク側エンティティにより送信された第１のユーザの第２の情報を受信するよう構成され、前記第２の情報は、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有する。
【００１７】
第３の態様の第１又は第２の可能な実現方式に基づき、第３の可能な実現方式では、前記第１のユーザ装置の近接サービス通信の範囲は、近接サービスを利用可能な前記第１のユーザ装置のアプリケーションの識別子を有する。
【００１８】
第３の態様又は第３の態様の第１から第３の可能な実現方式の何れか１つに基づき、第４の可能な実現方式では、前記第１のユーザ装置がビジティッド・パブリック・ランド・モバイル・ネットワークＶＰＬＭＮにおいて近接サービスを実行することが許可され、且つ、前記第１のネットワーク側エンティティが前記ビジティッド・パブリック・ランド・モバイル・ネットワークＶＰＬＭＮのネットワーク側エンティティである場合、前記取得モジュールは、具体的には、第３のネットワーク側エンティティが第２のリクエストメッセージに従って前記第１のユーザ装置の近接サービスコンフィギュレーションデータを前記第１のネットワーク側エンティティに送信するように、前記第２のリクエストメッセージを前記第３のネットワーク側エンティティに送信するよう構成され、前記第２のリクエストメッセージは前記第１のユーザ装置の識別情報を有する。
【００１９】
第３の態様又は第３の態様の第１から第３の可能な実現方式の何れか１つに基づき、第５の可能な実現方式では、前記第１のリクエストメッセージは更に第２のユーザ装置の識別情報を有し、前記第１のユーザ装置及び前記第２のユーザ装置は同一のパブリック・ランド・モバイル・ネットワークＰＬＭＮに属さず、
前記判定モジュールは更に、前記第１のユーザ装置の取得された近接サービスコンフィギュレーションデータに少なくとも従って、前記第１のユーザ装置が前記アプリケーション識別子に対応するパブリック・ランド・モバイル・ネットワークＰＬＭＮ間の近接サービスを実行可能であると判定するよう構成される。
【００２０】
第４の態様によると、ユーザ装置であって、
第１のリクエストメッセージを第１のネットワーク側エンティティに送信するよう構成される送信モジュールであって、前記第１のネットワーク側エンティティが前記第１のユーザ装置の取得された近接サービスコンフィギュレーションデータに少なくとも従って、前記第１のユーザ装置がアプリケーション識別子に対応する近接サービスを実行可能であると判定するように、前記第１のリクエストメッセージは前記第１のユーザ装置の識別情報及び前記アプリケーション識別子を有する、送信モジュールと、
前記第１のネットワーク側エンティティが、前記第１のユーザ装置が前記アプリケーション識別子に対応する近接サービスを実行可能であると判定した後に、前記第１のユーザ装置が、前記アプリケーション識別子に対応する近接サービスを実行するよう構成される処理モジュールと、
を有するユーザ装置が提供される。
【００２１】
第４の態様に基づき、第１の可能な実現方式では、前記第１のユーザ装置の近接サービスコンフィギュレーションデータは、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有し、
前記第１のユーザ装置の近接サービス通信の範囲は、近接サービスを利用可能な前記第１のユーザ装置のアプリケーションの識別子を有する。
【００２２】
第５の態様によると、第４の態様によるユーザ装置及び第３の態様による第１のネットワーク側エンティティを有する近接サービス許可システムが提供される。
【００２３】
本発明では、第１のユーザ装置により送信されたリクエストメッセージを受信すると、第１のネットワーク側エンティティは、第１のユーザ装置の取得された近接サービスコンフィギュレーションデータに少なくとも従って、第１のユーザ装置がアプリケーション識別子に対応する近接サービスを実行可能であると判定し、従って、ネットワーク側エンティティは、ユーザ装置により開始された近接サービスを適切に制御可能であり、ユーザ装置の近接サービスのサービス品質を保証できる。
【図面の簡単な説明】
【００２４】
本発明の実施例又は従来技術における技術的方策をより明確に説明するため、以下において、実施例又は従来技術を説明するのに必要な添付図面が簡単に紹介される。明らかに、以下の説明における添付図面は本発明の一部の実施例を示し、当業者は、創作的な努力なく、これらの添付図面から他の図面を依然として導出してもよい。
【図１】図１は、本発明の実施例による近接サービス許可方法の概略的なフローチャートである。
【図２】図２は、本発明の他の実施例による近接サービス許可方法の概略的なフローチャートである。
【図３】図３は、本発明の他の実施例による近接サービス許可方法のシグナリング図である。
【図４】図４は、本発明の他の実施例による近接サービス許可方法のシグナリング図である。
【図５】図５は、本発明の他の実施例による第１のネットワーク側エンティティの概略的な構成図である。
【図６】図６は、本発明の他の実施例によるユーザ装置の概略的な構成図である。
【図７】図７は、本発明の他の実施例による第１のネットワーク側エンティティの概略的な構成図である。
【図８】図８は、本発明の他の実施例によるユーザ装置の概略的な構成図である。
【図９】図９は、本発明の他の実施例による近接サービス許可システムの概略的な構成図である。
【発明を実施するための形態】
【００２５】
本発明の実施例の課題、技術的方策及び効果をより明確にするため、以下は、本発明の実施例における添付図面を参照して本発明の実施例における技術的方策を明確且つ完全に説明する。明らかに、説明される実施例は、本発明の実施例の全てでなく一部である。創作的な努力なく本発明の実施例に基づき当業者により取得される他の全ての実施例は、本発明の保護範囲内に属する。
【００２６】
既存の近接サービス許可方法では、近接サービスサーバは、近接サービスを利用するユーザ装置を許可及び認証する必要はなく、この結果、近接サービスサーバは、モバイル端末のユーザ装置の近接サービスを適切に制御できず、従って、ユーザ装置の近接サービスのサービス品質は保証できない。近接サービスサーバは、ｐｒｏｓｅサービスを制御するためのエンティティであり、本発明において限定されない近接サービス制御機能ＰＤＣＦなどの他の名前を有してもよい。
【００２７】
さらに、既存の近接サービス許可方法では、近接サービスの許可は、２つのユーザ装置が同じパブリック・ランド・モバイル・ネットワーク（Ｐｕｂｌｉｃ  Ｌａｎｄ  Ｍｏｂｉｌｅ  Ｎｅｔｗｏｒｋ，ＰＬＭＮ）に配置されるときにのみデータ通信を直接実行する必要がある２つのユーザ装置に対して実行可能であり、データ通信を直接実行する必要がある２つのユーザ装置が異なるＰＬＭＮに配置されるとき、２つのユーザ装置に対して近接サービスの許可は実行できない。従って、適用の制限が存在する。
【００２８】
従来技術に存在する問題に関して、本発明は、既存の近接サービス実現方法における以下の問題を解決可能な近接サービス許可方法を提供する。近接サービスサーバは近接サービスを利用するユーザ装置を許可及び認証する必要がないため、近接サービスサーバは、モバイル端末のユーザ装置の近接サービスを適切に制御できず、従って、ユーザ装置の近接サービスのサービス品質は保証できない。さらに、データ通信を直接実行する必要がある２つのユーザ装置が異なるＰＬＭＮに配置されるとき、近接サービスの許可は２つのユーザ装置に対して依然として実行可能であり、既存の近接サービス許可方法の適用範囲を拡張する。
【００２９】
本発明の技術的方策は、グローバル・システム・フォー・モバイル・コミュニケーションズ（英語ではＧｌｏｂａｌ  Ｓｙｓｔｅｍ  ｆｏｒ  Ｍｏｂｉｌｅ  Ｃｏｍｍｕｎｉｃａｔｉｏｎｓ、略してＧＳＭ）、ジェネラル・パケット・ラジオ・サービス（英語ではＧｅｎｅｒａｌ  Ｐａｃｋｅｔ  Ｒａｄｉｏ  Ｓｅｒｖｉｃｅ、略してＧＰＲＳ）、符号分割多重接続（英語ではＣｏｄｅ  Ｄｉｖｉｓｉｏｎ  Ｍｕｌｔｉｐｌｅ  Ａｃｃｅｓｓ、略してＣＤＭＡ）システム、ＣＤＭＡ２０００システム、ワイドバンド符号分割多重接続（英語ではＷｉｄｅｂａｎｄ  Ｃｏｄｅ  Ｄｉｖｉｓｉｏｎ  Ｍｕｌｔｉｐｌｅ  Ａｃｃｅｓｓ、略してＷＣＤＭＡ）システム、ロング・ターム・エボリューション（英語ではＬｏｎｇ  Ｔｅｒｍ  Ｅｖｏｌｕｔｉｏｎ、略してＬＴＥ）システム又はワールドワイド・インターオペラビリティ・フォー・マイクロウェーブ・アクセス（英語ではＷｏｒｌｄ  Ｉｎｔｅｒｏｐｅｒａｂｉｌｉｔｙ  ｆｏｒ  Ｍｉｃｒｏｗａｖｅ  Ａｃｃｅｓｓ、略してＷｉＭＡＸ）システムなどの各種無線通信システムに適用されてもよい。
【００３０】
本発明の実施例におけるネットワーク側エンティティは、近接サービスサーバ（Ｐｒｏｓｅ  Ｓｅｒｖｅｒ）、モビリティ・マネージメント・エンティティ（Ｍｏｂｉｌｉｔｙ  Ｍａｎａｇｅｍｅｎｔ  Ｅｎｔｉｔｙ，ＭＭＥ）又はホーム・サブスクライバ・サーバ（Ｈｏｍｅ  Ｓｕｂｓｃｒｉｂｅｒ  Ｓｅｒｖｅｒ，ＨＳＳ）を含むことが留意されるべきである。
【００３１】
図１は、本発明の実施例による近接サービス許可方法の概略的なフローチャートである。図１に示されるように、本実施例における近接サービス許可方法は以下を有する。
【００３２】
１０１：第１のネットワーク側エンティティが、第１のユーザ装置により送信された第１のリクエストメッセージを受信し、ここで、当該リクエストメッセージは、第１のユーザ装置の識別情報及びアプリケーション識別子を有する。
【００３３】
第１のリクエストメッセージは、例えば、発見リクエスト（ｄｅｖｉｃｅ  ｄｉｓｃｏｖｅｒｙ  ｒｅｑｕｅｓｔ）メッセージなどであってもよく、当該リクエストメッセージは、第１のユーザ装置の識別情報及びアプリケーション識別子を有する。実際の適用では、リクエストメッセージは更に、第２のユーザ装置の識別情報を有する。第１のユーザ装置は発見するユーザ装置であり、第２のユーザ装置は発見されるユーザ装置である。
【００３４】
第１のユーザ装置の識別情報は、例えば、第１のユーザ装置によって対応するネットワーク側エンティティに登録された近接サービス識別子と、国際モバイル加入者識別子ＩＭＳＩ又はグローバルに一意的な一時的識別子ＧＵＴＩなど、第１のユーザ装置が配置されたパブリック・ランド・モバイル・ネットワーク（Ｐｕｂｌｉｃ  Ｌａｎｄ  Ｍｏｂｉｌｅ  Ｎｅｔｗｏｒｋ，ＰＬＭＮ）の識別子を含む。第２のユーザ装置の識別情報は、例えば、第２のユーザ装置によって対応するネットワーク側エンティティに登録された近接サービス識別子と、国際モバイル加入者識別子ＩＭＳＩ又はグローバルに一意的な一時的識別子ＧＵＴＩなど、第２のユーザ装置が配置されたＰＬＭＮの識別子を含む。
【００３５】
１０２：第１のユーザ装置の取得された近接サービスコンフィギュレーションデータに少なくとも従って、第１のユーザ装置がアプリケーション識別子に対応する近接サービスを実行可能であると判定する。
【００３６】
第１のユーザ装置の近接サービスコンフィギュレーションデータは、以下の１つ以上、すなわち、第１のユーザ装置が検出すること、検出されること、近接サービス通信を実行することが許可されているか、第１のユーザ装置の近接サービス通信の範囲、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているか、を有する。本発明において説明されるコンフィギュレーションデータは、近接サービスに対する許可を行うのに用いられるデータであり、ユーザの嗜好及び／又は加入データなどを含み、コンフィギュレーションデータは単なる一般化である。
【００３７】
本発明の任意的な実現方式では、特定の実現形態において、第１のユーザ装置の近接サービスコンフィギュレーションデータを取得することは、
第１のネットワーク側エンティティが、第１のユーザ装置により送信された第１の情報を受信することを有し、ここで、第１の情報は、以下の１つ以上、第１のユーザ装置が検出すること、検出されること、近接サービス通信を実行することが許可されているか、及び第１のユーザ装置の近接サービス通信の範囲を有する。
【００３８】
本発明の任意的な実現方式では、特定の実現形態において、第１のユーザ装置の近接サービスコンフィギュレーションデータを取得することは、
第１のネットワーク側エンティティが、第２のネットワーク側エンティティにより送信された第１のユーザの第２の情報を受信することを有し、ここで、第２の情報は、以下の１つ以上、第１のユーザ装置が検出すること、検出されること、近接サービス通信を実行することが許可されているか、第１のユーザ装置の近接サービス通信の範囲、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているかを有する。
【００３９】
例えば、第１のユーザ装置の近接サービス通信の範囲は、アプリケーション識別子ａｐｐｌｉｃａｔｉｏｎ  ＩＤ又はアプリケーション識別子としてマッピング可能な他の識別子など、近接サービスを利用可能な第１のユーザ装置のアプリケーションの識別子を有する。
【００４０】
本発明の任意的な実現方式では、第１のユーザ装置がビジティッド・パブリック・ランド・モバイル・ネットワークＶＰＬＭＮにおいて近接サービスを実行することが許可され、且つ、第１のネットワーク側エンティティがビジティッド・パブリック・ランド・モバイル・ネットワークＶＰＬＭＮのネットワーク側エンティティである場合、第１のユーザ装置の近接サービスコンフィギュレーションデータを取得することは、
第１のネットワーク側エンティティが、第２のリクエストメッセージを第３のネットワーク側エンティティに送信することを有し、第３のネットワーク側エンティティが第２のリクエストメッセージに従って第１のユーザ装置の近接サービスコンフィギュレーションデータを第１のネットワーク側エンティティに送信するように、第２のリクエストメッセージは第１のユーザ装置の識別情報を有する。
【００４１】
本発明の任意的な実現方式では、第１のリクエストメッセージは更に第２のユーザ装置の識別情報を有し、第１のユーザ装置及び第２のユーザ装置は同一のパブリック・ランド・モバイル・ネットワークＰＬＭＮに属さず、
第１のネットワーク側エンティティが第１のユーザ装置により送信された第１のリクエストメッセージを受信した後に、
第１のネットワーク側エンティティが、第１のユーザ装置の取得された近接サービスコンフィギュレーションデータに少なくとも従って、第１のユーザ装置がアプリケーション識別子に対応するパブリック・ランド・モバイル・ネットワークＰＬＭＮ間の近接サービスを実行可能であると判定することを更に有する。
【００４２】
本発明の本実施例では、第１のユーザ装置により送信されたリクエストメッセージを受信すると、第１のネットワーク側エンティティは、第１のユーザ装置の取得された近接サービスコンフィギュレーションデータに少なくとも従って、第１のユーザ装置がアプリケーション識別子に対応する近接サービスを実行可能であると判定し、従って、ネットワーク側エンティティは、ユーザ装置により開始された近接サービスを適切に制御でき、ユーザ装置の近接サービスのサービス品質が保証できる。
【００４３】
さらに、２つのユーザ装置が異なるＰＬＭＮに配置されるとき、ネットワーク側エンティティはまた、ユーザ装置により開始されたＰＬＭＮ間の近接サービスに対する適切な許可制御を実現可能であり、既存の近接サービス許可方法の適用範囲を拡張する。
【００４４】
図２は、本発明の他の実施例による近接サービス許可方法の概略的なフローチャートである。図２に示されるように、以下を含む。
【００４５】
２０１：第１のユーザ装置が、第１のリクエストメッセージを第１のネットワーク側エンティティに送信し、ここで、第１のネットワーク側エンティティが第１のユーザ装置の取得された近接サービスコンフィギュレーションデータに少なくとも従って、第１のユーザ装置がアプリケーション識別子に対応する近接サービスを実行可能であると判定するように、第１のリクエストメッセージは第１のユーザ装置の識別情報及びアプリケーション識別子を有する。
【００４６】
第１のリクエストメッセージは、例えば、発見リクエスト（ｄｅｖｉｃｅ  ｄｉｓｃｏｖｅｒｙ  ｒｅｑｕｅｓｔ）メッセージなどであってもよく、第１のリクエストメッセージは、第１のユーザ装置の識別情報及びアプリケーション識別子を有する。実際の適用では、リクエストメッセージは更に、第２のユーザ装置の識別情報を有する。第１のユーザ装置は発見するユーザ装置であり、第２のユーザ装置は発見されるユーザ装置である。
【００４７】
第１のユーザ装置の識別情報は、例えば、第１のユーザ装置によって対応するネットワーク側エンティティに登録された近接サービス識別子と、第１のユーザ装置が配置されたパブリック・ランド・モバイル・ネットワークＰＬＭＮの識別子を含む。第２のユーザ装置の識別情報は、例えば、第２のユーザ装置によって対応するネットワーク側エンティティに登録された近接サービス識別子と、第２のユーザ装置が配置されたＰＬＭＮの識別子を含む。
【００４８】
第１のネットワーク側エンティティが第１のユーザ装置の取得された近接サービスコンフィギュレーションデータに少なくとも従って、第１のユーザ装置がアプリケーション識別子に対応する近接サービスを実行可能であると判定する特定の実現形態について、図１に示される実施例の関連する説明が参照されてもよく、詳細はここでは再び提供されないことが留意されるべきである。
【００４９】
第１のユーザ装置の近接サービスコンフィギュレーションデータは、以下の１つ以上、すなわち、第１のユーザ装置が検出すること、検出されること、近接サービス通信を実行することが許可されているか、第１のユーザ装置の近接サービス通信の範囲、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているかを有し、
第１のユーザ装置の近接サービス通信の範囲は、近接サービスを利用可能な第１のユーザ装置のアプリケーションの識別子を有する。
【００５０】
２０２：第１のネットワーク側エンティティが、第１のユーザ装置がアプリケーション識別子に対応する近接サービスを実行可能であると判定した後に、第１のユーザ装置が、アプリケーション識別子に対応する近接サービスを実行する。
【００５１】
本発明の本実施例では、第１のユーザ装置により送信されたリクエストメッセージを受信すると、第１のネットワーク側エンティティは、第１のユーザ装置の取得された近接サービスコンフィギュレーションデータに少なくとも従って、第１のユーザ装置がアプリケーション識別子に対応する近接サービスを実行可能であると判定し、従って、ネットワーク側エンティティは、ユーザ装置により開始された近接サービスを適切に制御でき、ユーザ装置の近接サービスのサービス品質が保証できる。
【００５２】
図３は、本発明の他の実施例による近接サービス許可方法のシグナリング図である。第１のユーザ装置及び第２のユーザ装置が同一のＰＬＭＮに配置され、第１のユーザ装置に対応する近接サービスサーバが第１の近接サービスサーバであり、第１のユーザ装置に対応するコアネットワークエンティティがＭＭＥであり、第１のユーザ装置の近接サービスコンフィギュレーションデータがＨＳＳに保存されることが仮定される。図３において、本実施例における近接サービス許可方法が示され、以下を有する。
【００５３】
３０１：第１のユーザ装置が、アタッチプロセスにおいて第１のユーザ装置の第１の情報をＭＭＥに送信する。
【００５４】
第１のユーザ装置の第１の情報は、例えば、第１のユーザ装置の近接サービス能力情報などであってもよく、特定の実現形態では、
第１のユーザ装置は、アタッチリクエスト（ａｔｔａｃｈ  ｒｅｑｕｅｓｔ）メッセージをＭＭＥに送信し、ここで、第１のユーザ装置の近接サービス能力情報はアタッチリクエストメッセージに含まれ、第１のユーザ装置の近接サービス能力情報は、第１のユーザ装置が通常の近接サービス（ｃｏｍｍｅｒｃｉａｌ  ｐｒｏｓｅ）及びパブリック・セーフティ（Ｐｕｂｌｉｃ  ｓａｆｅｔｙ）サービスをサポートしているか示し、第１のユーザ装置の近接サービス能力情報は第１のユーザ装置の識別情報を有し、識別情報は、例えば、国際モバイル加入者識別子（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ，ＩＭＳＩ）又はユーザ装置の一時的識別子（ｔｅｍｐ  ｉｄｅｎｔｉｔｙ  ｕｓｅｄ  ｉｎ  ｎｅｘｔ  ｕｐｄａｔｅ，ＧＵＴＩ）などであり、第１のユーザ装置の近接サービス能力情報は更に、発見（ｄｉｓｃｏｖｅｒ）、発見されること（ｄｉｓｃｏｖｅｒａｂｌｅ）又は近接サービス通信（ｐｒｏｓｅ  ｃｏｍｍｕｎｉｃａｔｉｏｎ）をアクティブ化（ａｃｔｉｖａｔｅ）及び／又は非アクティブ化（ｄｅａｃｔｉｖａｔｅ）することの１つ以上を有してもよい。それから、ＭＭＥは、第１のユーザ装置の近接サービス能力情報を、第１のユーザ装置の識別情報に対応する近接サービスコンフィギュレーションデータエントリに保存してもよい。
【００５５】
３０２：ＭＭＥが、第１のユーザ装置の近接サービスコンフィギュレーションデータを取得する。
【００５６】
特定の実現形態では、第１のユーザ装置がＭＭＥに最後にアタッチした後、第１のユーザ装置の近接サービスコンフィギュレーションデータが変更されたか、又は、ＭＭＥが第１のユーザ装置の近接サービスコンフィギュレーションデータを有さない、すなわち、ＭＭＥが第１のユーザ装置の識別情報に従って、第１のユーザ装置の識別情報に対応する近接サービスコンフィギュレーションデータエントリをクエリし、第１のユーザ装置の識別情報に対応する近接サービスコンフィギュレーションデータが存在しないときであると仮定すると、ＭＭＥは、アップデート位置リクエスト（Ｕｐｄａｔｅ  Ｌｏｃａｔｉｏｎ  Ｒｅｑｕｅｓｔ）メッセージを第１のユーザ装置のＨＳＳに送信してもよく、ＨＳＳは、アップデート位置アクノリッジメント（Ｕｐｄａｔｅ  Ｌｏｃａｔｉｏｎ  Ａｃｋ）メッセージをＭＭＥに返し、ここで、第１のユーザ装置の近接サービスコンフィギュレーションデータはＵｐｄａｔｅ  Ｌｏｃａｔｉｏｎ  Ａｃｋメッセージに含まれ、それから、ＭＭＥは、第１のユーザ装置の識別情報に対応する近接サービスコンフィギュレーションデータエントリに第１のユーザ装置の近接サービスコンフィギュレーションデータを保存してもよい。
【００５７】
第１のユーザ装置の近接サービスコンフィギュレーションデータは、例えば、以下の１つ以上、すなわち、第１のユーザ装置が検出すること、検出されること、近接サービス通信を実行することが許可されているか、及び第１のユーザ装置の近接サービス通信の範囲を有する。さらに、第１のユーザ装置の近接サービスコンフィギュレーションデータは更に、例えば、以下の１つ以上、すなわち、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているかを有してもよい。
【００５８】
３０３：ＭＭＥが、第１のユーザ装置の近接サービスコンフィギュレーションデータを第１の近接サービスサーバに送信する。
【００５９】
特定の実現形態では、ＭＭＥは、アップデート近接サービス情報（Ｕｐｄａｔｅ  ＰｒｏＳｅ  ｉｎｆｏ  ｒｅｑｕｅｓｔ）メッセージを用いることによって、第１のユーザ装置の近接サービスコンフィギュレーションデータを第１の近接サービスサーバに送信してもよい。第１のユーザ装置の近接サービスコンフィギュレーションデータが変更された後、ＭＭＥはまた、アップデート近接サービス情報（Ｕｐｄａｔｅ  ＰｒｏＳｅ  ｉｎｆｏ  ｒｅｑｕｅｓｔ）メッセージを用いることによって、第１のユーザ装置の更新された近接サービスコンフィギュレーションデータを第１の近接サービスサーバに送信してもよい。それから、第１の近接サービスサーバは、第１のユーザ装置の識別情報に対応する近接サービスコンフィギュレーションデータエントリに第１のユーザ装置の近接サービスコンフィギュレーションデータを保存してもよい。
【００６０】
任意的には、Ｕｐｄａｔｅ  ＰｒｏＳｅ  ｉｎｆｏ  ｒｅｑｕｅｓｔメッセージを受信した後、第１の近接サービスサーバは、アップデート近接サービス情報アクノリッジメント（Ｕｐｄａｔｅ  ＰｒｏＳｅ  ｉｎｆｏ  Ａｃｋ）メッセージをＭＭＥに送信してもよい。
【００６１】
３０４：第１のユーザ装置が、発見リクエストメッセージを第１の近接サービスサーバに送信する。
【００６２】
第１のユーザ装置のアプリケーションが近接サービスを実行する必要があるとき、第１のユーザ装置は、発見リクエストメッセージを第１の近接サービスサーバに送信してもよく、ここで、発見リクエストメッセージは、第１のユーザ装置の識別情報及びアプリケーション識別子を有する。実際の適用では、第２のユーザ装置を発見するため、発見リクエストメッセージは更に、第２のユーザ装置の識別情報を有する。
【００６３】
３０５：第１の近接サービスサーバは、発見リクエストメッセージに従って第１のユーザ装置の近接サービスコンフィギュレーションデータを取得する。
【００６４】
例えば、第１のユーザ装置により送信された発見リクエストメッセージを受信した後、第１の近接サービスサーバは、発見リクエストメッセージに含まれる第１のユーザ装置の識別情報に従って、第１のユーザ装置の識別情報に対応する近接サービスコンフィギュレーションデータエントリをクエリし、第１のユーザ装置の近接サービスコンフィギュレーションデータを取得してもよい。
【００６５】
３０６：第１の近接サービスサーバが、第１のユーザ装置がアプリケーション識別子に対応する近接サービスを実行するように、第１のユーザ装置の近接サービスコンフィギュレーションデータに従って、第１のユーザ装置のアプリケーション識別子に対応する近接サービスに対する許可制御を実行する。
【００６６】
例えば、第１のユーザ装置の近接サービスコンフィギュレーションデータに従って、第１のユーザ装置が発見する能力を有すると判定されたと仮定される。第１のユーザ装置及び第２のユーザ装置は、本実施例では同じＰＬＭＮに配置されているため、ネットワーク側エンティティはまた、発見リクエストメッセージに含まれる第２のユーザ装置の識別情報に従って、第２のユーザ装置の近接サービスコンフィギュレーションデータを取得してもよい。第２のユーザ装置が発見される能力を有すると判定された場合、さらに、第１のユーザ装置の近接サービスコンフィギュレーションデータ及び第２のユーザ装置の近接サービスコンフィギュレーションデータに従って、第１のユーザ装置の近接サービスコンフィギュレーションデータと第２のユーザ装置の近接サービスコンフィギュレーションデータとの双方がアプリケーション識別子を有する場合、アプリケーション識別子に対応する近接サービスが第１のユーザ装置と第２のユーザ装置との間で実行されてもよいと判定されてもよい。
【００６７】
それから、第１の近接サービスサーバは、第２のユーザ装置の近接サービスコードをブロードキャストするよう第２のユーザ装置をトリガし、第１の近接サービスサーバは、第２のユーザ装置のブロードキャストにより知られた近接サービスコードを第１のユーザ装置に送信する。第１のユーザ装置は、第２のユーザ装置の近接サービスコードを用いることによって、第１のユーザ装置と第２のユーザ装置との間でアプリケーション識別子に対応する近接サービスを実行する。
【００６８】
本発明の本実施例では、第１のユーザ装置により送信されたリクエストメッセージを受信すると、ネットワーク側エンティティは、リクエストメッセージに含まれる第１のユーザ装置の識別情報に従って、第１のユーザ装置の近接サービスコンフィギュレーションデータを取得し、第１のユーザ装置がアプリケーション識別子に対応する近接サービスを実行するように、第１のユーザ装置の近接サービスコンフィギュレーションデータに従って、第１のユーザ装置のアプリケーション識別子に対応する近接サービスに対する許可制御を実行する。従って、ネットワーク側エンティティは、ユーザ装置により開始された近接サービスを適切に制御可能であり、ユーザ装置の近接サービスのサービス品質が保証できる。
【００６９】
図４は、本発明の他の実施例による近接サービス許可方法のシグナリング図である。第１のユーザ装置及び第２のユーザ装置が異なるＰＬＭＮに配置され、第１のユーザ装置に対応する近接サービスサーバが第１の近接サービスサーバであり、第２のユーザ装置に対応する近接サービスサーバが第２の近接サービスサーバであると仮定される。図４に示されるように、本実施例における近接サービス許可方法は以下を有する。
【００７０】
４０１：第１のユーザ装置が、第１の近接サービスサーバに発見リクエストメッセージを送信する。
【００７１】
第１のユーザ装置のアプリケーションが近接サービスを実行する必要があるとき、第１のユーザ装置は、発見リクエストメッセージを第１の近接サービスサーバに送信してもよく、ここで、発見リクエストメッセージは、第１のユーザ装置の識別情報及びアプリケーション識別子を有する。実際の適用では、第２のユーザ装置を発見するため、発見リクエストメッセージは更に、第２のユーザ装置の識別情報を有する。
【００７２】
第１のユーザ装置の識別情報は、第１のユーザ装置が配置されるＰＬＭＮの識別子を有し、第２のユーザ装置の識別情報は、第２のユーザ装置が配置されるＰＬＭＮの識別子を有する。
【００７３】
４０２：第１の近接サービスサーバが、発見リクエストメッセージに含まれる第１のユーザ装置の識別情報に従って、第１のユーザ装置の近接サービスコンフィギュレーションデータを取得する。
【００７４】
例えば、ステップ４０１の前に、第１の近接サービスサーバは、第１のユーザ装置のＭＭＥ又は第１のユーザ装置のＨＳＳから第１のユーザ装置の近接サービスコンフィギュレーションデータを取得する。特定の実現形態について、図３に示される実施例におけるステップ３０２及びステップ３０３における関連する説明が参照されてもよく、詳細は再びは提供されない。第１の近接サービスサーバは、第１のユーザ装置の識別情報に対応する近接サービスコンフィギュレーションデータエントリに第１のユーザ装置の取得された近接サービスコンフィギュレーションデータを保存してもよい。
【００７５】
第１のユーザ装置により送信された発見リクエストメッセージを受信した後、第１の近接サービスサーバは、発見リクエストメッセージに含まれる第１のユーザ装置の識別情報に従って、第１のユーザ装置の識別情報に対応する近接サービスコンフィギュレーションデータエントリをクエリし、第１のユーザ装置の近接サービスコンフィギュレーションデータを取得してもよい。
【００７６】
第１のユーザ装置の近接サービスコンフィギュレーションデータは、例えば、以下の１つ以上、すなわち、第１のユーザ装置が検出すること、検出されること、近接サービス通信を実行することが許可されているか、及び第１のユーザ装置の近接サービス通信の範囲を有する。さらに、第１のユーザ装置の近接サービスコンフィギュレーションデータは更に、例えば、以下の１つ以上、すなわち、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているかを有してもよい。
【００７７】
４０３：第１の近接サービスサーバは、発見リクエストメッセージに含まれる第２のユーザ装置の識別情報に従って、第２のユーザ装置の識別情報に対応する第２の近接サービスサーバに第２のユーザ装置の近接サービスコンフィギュレーションデータを取得するためのリクエストメッセージを送信する。
【００７８】
特定の実現形態では、第１のユーザ装置により送信された発見リクエストメッセージを受信した後、第１の近接サービスサーバは、発見リクエストメッセージに含まれる第１のユーザ装置の識別情報及び第２のユーザ装置の識別情報に従って、第１のユーザ装置に対応する識別情報及び第２のユーザ装置に対応する識別情報がそれぞれ、第１のユーザ装置が配置されるネットワークの識別子及び第２のユーザ装置が配置されるネットワークの識別子（ＰＬＭＮの識別子など）を含むと仮定される場合、第１のユーザ装置及び第２のユーザ装置が同一のＰＬＭＮに配置されていないと判定してもよい。この場合、第１の近接サービスサーバは、発見リクエスト（ｄｅｖｉｃｅ  ｄｉｓｃｏｖｅｒｙ  ｒｅｑｕｅｓｔ）メッセージを用いることによって、第２のユーザ装置の識別情報に従って、第２のユーザ装置の近接サービスコンフィギュレーションデータを取得するためのリクエストメッセージを第２の近接サービスサーバに送信する。
【００７９】
４０４：第２の近接サービスサーバは、第２のユーザ装置の近接サービスコンフィギュレーションデータを取得する。
【００８０】
例えば、第２の近接サービスサーバは、第２のユーザ装置のＭＭＥ又は第２のユーザ装置のＨＳＳから第２のユーザ装置の近接サービスコンフィギュレーションデータを取得する。特定の実現形態について、図３に示される実施例のステップ３０２及びステップ３０３における関連する説明が参照されてもよく、詳細は再びは提供されない。第２の近接サービスサーバは、第２のユーザ装置の識別情報に対応する近接サービスコンフィギュレーションデータエントリに第２のユーザ装置の取得された近接サービスコンフィギュレーションデータを保存してもよい。
【００８１】
第１の近接サービスサーバにより送信される第２のユーザ装置の近接サービスコンフィギュレーションデータを取得するためのリクエストメッセージを受信した後、第２の近接サービスサーバは、リクエストメッセージに含まれる第２のユーザ装置の識別情報に従って、第２のユーザ装置の識別情報に対応する近接サービスコンフィギュレーションデータエントリをクエリし、第２のユーザ装置の近接サービスコンフィギュレーションデータを取得する。
【００８２】
第２のユーザ装置の近接サービスコンフィギュレーションデータは、例えば、以下の１つ以上、すなわち、第２のユーザ装置が検出すること、検出されること、近接サービス通信を実行することが許可されているか、及び第２のユーザ装置の近接サービス通信の範囲を有する。さらに、第２のユーザ装置の近接サービスコンフィギュレーションデータは更に、例えば、以下の１つ以上、すなわち、第２のユーザ装置がパブリック・ランド・モバイル・ネットワークにわたって近接サービスを実行することが許可されているか、第２のユーザ装置がビジティッド・パブリック・ランド・モバイル・ネットワークＶＰＬＭＮにおいて近接サービスを実行することが許可されているか、及び第２のユーザ装置がパブリック・セーフティ近接サービスを実行することが許可されているかを有してもよい。
【００８３】
４０５：第２の近接サービスサーバは、第２のユーザ装置の近接サービスコンフィギュレーションデータを第１の近接サービスサーバに送信する。
【００８４】
４０６：第１の近接サービスサーバは、第１のユーザ装置に対応する近接サービスコンフィギュレーションデータ及び第２のユーザ装置に対応する近接サービスコンフィギュレーションデータに従って、第１のユーザ装置のアプリケーション識別子に対応する近接サービスに対する許可制御を実行する。
【００８５】
例えば、第１のユーザ装置の近接サービスコンフィギュレーションデータに従って、第１のユーザ装置がＰＬＭＮにわたって発見する能力を有すると判定され、且つ、第２のユーザ装置の近接サービスコンフィギュレーションデータに従って、第２のユーザ装置がＰＬＭＮにわたって発見される能力を有すると判定される場合、また更に、第１のユーザ装置の近接サービスコンフィギュレーションデータ及び第２のユーザ装置の近接サービスコンフィギュレーションデータに従って、第１のユーザ装置の近接サービスコンフィギュレーションデータ及び第２のユーザ装置の近接サービスコンフィギュレーションデータの双方がアプリケーション識別子を有すると仮定される場合、アプリケーション識別子に対応する近接サービスが第１のユーザ装置と第２のユーザ装置との間で実行されてもよいと判定されてもよい。
【００８６】
４０７：第１の近接サービスサーバは、第２のユーザ装置の近接サービスコードを取得するためのリクエストメッセージを第２の近接サービスサーバに送信する。
【００８７】
第１のユーザ装置及び第２のユーザ装置が同一のＰＬＭＮに配置されていないため、アプリケーション識別子に対応する近接サービスがＰＬＭＮにわたって第１のユーザ装置と第２のユーザ装置との間で実行されてもよいと判定された後、第１の近接サービスサーバは、第２のユーザ装置の識別情報に従って、第２のユーザ装置の近接サービスコードを取得するためのリクエストメッセージを第２の近接サービスサーバに送信する。
【００８８】
４０８：第２の近接サービスサーバは、第２のユーザ装置の近接サービスコードを第１の近接サービスサーバに送信する。
【００８９】
具体的には、第２の近接サービスサーバは、第２のユーザ装置の近接サービスコードをブロードキャストするよう第２のユーザ装置をトリガし、第２の近接サービスサーバは、第２のユーザ装置のブロードキャストにより知られた近接サービスコードを第１の近接サービスサーバに送信する。
【００９０】
４０９：第１の近接サービスサーバは、第２のユーザ装置の近接サービスコードを第１のユーザ装置に送信する。
【００９１】
４１０：第１のユーザ装置は、第２のユーザ装置の近接サービスコードを用いることによって、第１のユーザ装置と第２のユーザ装置との間でアプリケーション識別子に対応する近接サービスを実行する。
【００９２】
本発明の本実施例では、近接サービスを直接実行する必要がある２つのユーザ装置が異なるＰＬＭＮに配置されているとき、第１の近接サービスサーバは、異なるＰＬＭＮに配置された２つのユーザ装置の間の近接サービスに対する許可制御が行われてもよいように、第２のユーザ装置に対応する第２の近接サービスサーバを利用することによって、第２のユーザ装置の近接サービスコンフィギュレーションデータ及び近接サービスキーを取得してもよく、既存の近接サービス許可方法の適用範囲を拡張する。
【００９３】
図５は、本発明の他の実施例による第１のネットワーク側エンティティの概略的な構成図である。図５に示されるように、
第１のユーザ装置により送信された第１のリクエストメッセージを受信するよう構成される受信モジュール５１であって、第１のリクエストメッセージは第１のユーザ装置の識別情報及びアプリケーション識別子を有する、受信モジュール５１と、
第１のユーザ装置の近接サービスコンフィギュレーションデータを取得するよう構成される取得モジュール５２と、
第１のユーザ装置の取得された近接サービスコンフィギュレーションデータに少なくとも従って、第１のユーザ装置がアプリケーション識別子に対応する近接サービスを実行可能であると判定するよう構成される判定モジュール５３と、
を有する。
【００９４】
例えば、取得モジュール５２は、具体的には、第１のユーザ装置により送信された第１の情報を受信するよう構成され、ここで、第１の情報は、以下の１つ以上、第１のユーザ装置が検出すること、検出されること、近接サービス通信を実行することが許可されているか、及び第１のユーザ装置の近接サービス通信の範囲を有する。
【００９５】
他の例について、取得モジュール５２は更に、具体的には、第２のネットワーク側エンティティにより送信された第１のユーザの第２の情報を受信するよう構成され、第２の情報は、以下の１つ以上、第１のユーザ装置が検出すること、検出されること、近接サービス通信を実行することが許可されているか、第１のユーザ装置の近接サービス通信の範囲、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているかを有する。
【００９６】
例えば、第１のユーザ装置の近接サービス通信の範囲は、近接サービスを利用可能な第１のユーザ装置のアプリケーションの識別子を有する。
【００９７】
例えば、第１のユーザ装置がビジティッド・パブリック・ランド・モバイル・ネットワークＶＰＬＭＮにおいて近接サービスを実行することが許可され、且つ、第１のネットワーク側エンティティがビジティッド・パブリック・ランド・モバイル・ネットワークＶＰＬＭＮのネットワーク側エンティティであり、取得モジュール５２は、具体的には、第２のリクエストメッセージを第３のネットワーク側エンティティに送信するよう構成され、ここで、第３のネットワーク側エンティティが第２のリクエストメッセージに従って第１のユーザ装置の近接サービスコンフィギュレーションデータを第１のネットワーク側エンティティに送信するように、第２のリクエストメッセージは第１のユーザ装置の識別情報を有する。
【００９８】
例えば、第１のリクエストメッセージは更に第２のユーザ装置の識別情報を有し、第１のユーザ装置及び第２のユーザ装置は同一のパブリック・ランド・モバイル・ネットワークＰＬＭＮに属さず、
判定モジュール５３は更に、第１のユーザ装置の取得された近接サービスコンフィギュレーションデータに少なくとも従って、第１のユーザ装置がアプリケーション識別子に対応するパブリック・ランド・モバイル・ネットワークＰＬＭＮ間の近接サービスを実行可能であると判定するよう構成される。
【００９９】
本発明の本実施例では、第１のユーザ装置により送信されたリクエストメッセージを受信するとき、第１のネットワーク側エンティティは、第１のユーザ装置の取得された近接サービスコンフィギュレーションデータに少なくとも従って、第１のユーザ装置がアプリケーション識別子に対応する近接サービスを実行可能であると判定し、従って、ネットワーク側エンティティは、ユーザ装置により開始された近接サービスを適切に制御でき、ユーザ装置の近接サービスのサービス品質が保証できる。
【０１００】
さらに、２つのユーザ装置が異なるＰＬＭＮに配置されるとき、ネットワーク側エンティティはまた、ユーザ装置により開始されたＰＬＭＮ間の近接サービスに対する適切な許可制御を実現可能であり、既存の近接サービス許可方法の適用範囲を拡張する。
【０１０１】
図６は、本発明の他の実施例によるユーザ装置の概略的な構成図である。図６に示されるように、
第１のリクエストメッセージを第１のネットワーク側エンティティに送信するよう構成される送信モジュール６１であって、第１のネットワーク側エンティティが第１のユーザ装置の取得された近接サービスコンフィギュレーションデータに少なくとも従って、第１のユーザ装置がアプリケーション識別子に対応する近接サービスを実行可能であると判定するように、第１のリクエストメッセージは第１のユーザ装置の識別情報及びアプリケーション識別子を有する、送信モジュール６１と、
第１のネットワーク側エンティティが、第１のユーザ装置がアプリケーション識別子に対応する近接サービスを実行可能であると判定した後に、アプリケーション識別子に対応する近接サービスを実行するよう構成される処理モジュール６２と、
を有する。
【０１０２】
第１のユーザ装置の近接サービスコンフィギュレーションデータは、以下の１つ以上、第１のユーザ装置が検出すること、検出されること、近接サービス通信を実行することが許可されているか、第１のユーザ装置の近接サービス通信の範囲、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているかを有し、
第１のユーザ装置の近接サービス通信の範囲は、近接サービスを利用可能な第１のユーザ装置のアプリケーションの識別子を有する。
【０１０３】
本発明の本実施例では、第１のユーザ装置により送信されたリクエストメッセージを受信するとき、第１のネットワーク側エンティティは、第１のユーザ装置の取得された近接サービスコンフィギュレーションデータに少なくとも従って、第１のユーザ装置がアプリケーション識別子に対応する近接サービスを実行可能であると判定し、従って、ネットワーク側エンティティは、ユーザ装置により開始された近接サービスを適切に制御でき、ユーザ装置の近接サービスのサービス品質が保証できる。
【０１０４】
図７は、本発明の他の実施例による第１のネットワーク側エンティティの概略的な構成図である。図７に示されるように、プロセッサ、メモリ及び通信バスを有する。プロセッサは、通信バスを利用することによってメモリに接続され、メモリは、近接サービス許可方法を実現するための命令を記憶する。さらに、第１のネットワーク側エンティティは更に通信インタフェースを有し、第１のネットワーク側エンティティは、通信インタフェースを利用することによって、他のネットワーク要素装置（ユーザ装置など）と通信接続する。
【０１０５】
プロセッサがメモリにおける命令を呼び出すと、以下のステップ、
第１のユーザ装置により送信された第１のリクエストメッセージを受信するステップであって、ここで、第１のリクエストメッセージは、第１のユーザ装置の識別情報及びアプリケーション識別子を有する、受信するステップと、
第１のユーザ装置の取得された近接サービスコンフィギュレーションデータに少なくとも従って、第１のユーザ装置がアプリケーション識別子に対応する近接サービスを実行可能であると判定するステップと、
が実行されてもよい。
【０１０６】
例えば、第１のユーザ装置の近接サービスコンフィギュレーションデータを取得することは、
第１のユーザ装置により送信された第１の情報を受信することを有し、ここで、第１の情報は、以下の１つ以上、第１のユーザ装置が検出すること、検出されること、近接サービス通信を実行することが許可されているか、及び第１のユーザ装置の近接サービス通信の範囲を有する。
【０１０７】
例えば、第１のユーザ装置の近接サービスコンフィギュレーションデータを取得することは、
第２のネットワーク側エンティティにより送信された第１のユーザの第２の情報を受信することを有し、ここで、第２の情報は、以下の１つ以上、第１のユーザ装置が検出すること、検出されること、近接サービス通信を実行することが許可されているか、第１のユーザ装置の近接サービス通信の範囲、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているかを有する。
【０１０８】
例えば、第１のユーザ装置の近接サービス通信の範囲は、近接サービスを利用可能な第１のユーザ装置のアプリケーションの識別子を有する。
【０１０９】
例えば、第１のユーザ装置がビジティッド・パブリック・ランド・モバイル・ネットワークＶＰＬＭＮにおいて近接サービスを実行することが許可され、且つ、第１のネットワーク側エンティティがビジティッド・パブリック・ランド・モバイル・ネットワークＶＰＬＭＮのネットワーク側エンティティである場合、第１のユーザ装置の近接サービスコンフィギュレーションデータを取得することは、
第２のリクエストメッセージを第３のネットワーク側エンティティに送信することを有し、ここで、第３のネットワーク側エンティティが第２のリクエストメッセージに従って第１のユーザ装置の近接サービスコンフィギュレーションデータを第１のネットワーク側エンティティに送信するように、第２のリクエストメッセージは第１のユーザ装置の識別情報を有する。
【０１１０】
例えば、第１のリクエストメッセージは更に第２のユーザ装置の識別情報を有し、第１のユーザ装置及び第２のユーザ装置は同一のパブリック・ランド・モバイル・ネットワークＰＬＭＮに属さず、
第１のユーザ装置により送信された第１のリクエストメッセージを受信した後に、
第１のユーザ装置の取得された近接サービスコンフィギュレーションデータに少なくとも従って、第１のユーザ装置がアプリケーション識別子に対応するパブリック・ランド・モバイル・ネットワークＰＬＭＮ間の近接サービスを実行可能であると判定するステップを更に有する。
【０１１１】
本発明の本実施例では、第１のユーザ装置により送信されたリクエストメッセージを受信するとき、第１のネットワーク側エンティティは、第１のユーザ装置の取得された近接サービスコンフィギュレーションデータに少なくとも従って、第１のユーザ装置がアプリケーション識別子に対応する近接サービスを実行可能であると判定し、従って、ネットワーク側エンティティは、ユーザ装置により開始された近接サービスを適切に制御でき、ユーザ装置の近接サービスのサービス品質が保証できる。
【０１１２】
さらに、２つのユーザ装置が異なるＰＬＭＮに配置されるとき、第１のネットワーク側エンティティはまた、ユーザ装置により開始されたＰＬＭＮ間の近接サービスに対する適切な許可制御を実現可能であり、既存の近接サービス許可方法の適用範囲を拡張する。
【０１１３】
図８は、本発明の他の実施例によるユーザ装置の概略的な構成図である。図８に示されるように、プロセッサ、メモリ及び通信バスを有する。プロセッサは、通信バスを利用することによってメモリに接続され、メモリは、近接サービス許可方法を実現するための命令を記憶する。さらに、ユーザ装置は更に通信インタフェースを有し、ユーザ装置は、通信インタフェースを利用することによって、他のネットワーク要素装置（ネットワーク側エンティティなど）と通信接続する。
【０１１４】
プロセッサがメモリにおける命令を呼び出すと、以下のステップ、
第１のリクエストメッセージを第１のネットワーク側エンティティに送信するステップであって、ここで、第１のネットワーク側エンティティが第１のユーザ装置の取得された近接サービスコンフィギュレーションデータに少なくとも従って、第１のユーザ装置がアプリケーション識別子に対応する近接サービスを実行可能であると判定するように、第１のリクエストメッセージは第１のユーザ装置の識別情報及びアプリケーション識別子を有する、送信するステップと、
第１のネットワーク側エンティティが、第１のユーザ装置がアプリケーション識別子に対応する近接サービスを実行可能であると判定した後に、アプリケーション識別子に対応する近接サービスを実行するステップと、
が実行されてもよい。
【０１１５】
第１のユーザ装置の近接サービスコンフィギュレーションデータは、以下の１つ以上、第１のユーザ装置が検出すること、検出されること、近接サービス通信を実行することが許可されているか、第１のユーザ装置の近接サービス通信の範囲、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているかを有し、
第１のユーザ装置の近接サービス通信の範囲は、近接サービスを利用可能な第１のユーザ装置のアプリケーションの識別子を有する。
【０１１６】
本発明の本実施例では、第１のユーザ装置により送信されたリクエストメッセージを受信するとき、第１のネットワーク側エンティティは、第１のユーザ装置の取得された近接サービスコンフィギュレーションデータに少なくとも従って、第１のユーザ装置がアプリケーション識別子に対応する近接サービスを実行可能であると判定し、従って、ネットワーク側エンティティは、ユーザ装置により開始された近接サービスを適切に制御でき、ユーザ装置の近接サービスのサービス品質が保証できる。
【０１１７】
図９は、本発明の他の実施例による近接サービス許可システムの概略的な構成図である。図９に示されるように、近接サービス許可システムは、ユーザ装置９１及び第１のネットワーク側エンティティ９２を有し、ここで、ユーザ装置９１は、図６又は図８に示される実施例によるユーザ装置であり、詳細は再びは提供されず、
第１のネットワーク側エンティティ９２は、図５又は図７に示される実施例によるネットワーク側エンティティであり、詳細は再びは提供されない。
【０１１８】
本出願において提供される複数の実施例では、開示されたシステム、装置及び方法は他の方式において実現されてもよいことが理解されるべきである。例えば、説明された装置の実施例は単なる例示である。例えば、ユニットの分割は、単なる論理機能の分割であり、実際の実現形態では他の分割であってもよい。例えば、複数のユニット又はコンポーネントは他のシステムに組み合わせ又は統合されてもよいし、又は、一部の特徴は無視又は実行されなくてもよい。さらに、表示又は説明された相互結合又は直接的な結合若しくは通信接続は、いくつかのインタフェースを用いることによって実現されてもよい。装置又はユニットの間の間接的な結合又は通信接続は、電子、機械又は他の形態において実現されてもよい。
【０１１９】
別々のパーツとして説明されたユニットは物理的に別であっても、又はなくてもよく、ユニットして表示されたパーツは物理的なユニットであっても、又はなくてもよく、１つの位置に配置されてもよいし、又は複数のネットワークユニットに分散されてもよい。ユニットの一部又は全てが、実施例の方策の課題を実現するための実際のニーズに従って選択されてもよい。
【０１２０】
さらに、本発明の実施例における機能ユニットは１つの処理ユニットに統合されてもよいし、又は、各ユニットは物理的に単独で存在してもよく、又は、２つ以上のユニットが１つのユニットに統合される。統合されたユニットは、ハードウェアの形態で実現されてもよいし、又はソフトウェア機能ユニットに加えてハードウェアの形態で実現されてもよい。
【０１２１】
上記の統合されたユニットがソフトウェア機能ユニットの形態で実現されるとき、統合されたユニットは、コンピュータ可読記憶媒体にコードの形態で記憶されてもよい。コードは、コンピュータ可読記憶媒体に記憶され、本発明の実施例において説明される方法のステップの全て又は一部を実行するようプロセッサ又はハードウェア回路に命令するための複数の命令を有する。上記の記憶媒体は、ユニバーサル・シリアル・バスインタフェースの物理的ドライブを必要としない小型大容量モバイル記憶ディスク、着脱可能なハードディスク、読み出し専用メモリ（英語でＲｅａｄ−Ｏｎｌｙ  Ｍｅｍｏｒｙ、略してＲＯＭ）、ランダム・アクセス・メモリ（英語でＲａｎｄｏｍ  Ａｃｃｅｓｓ  Ｍｅｍｏｒｙ、略してＲＡＭ）、磁気ディスク又は光ディスクなど、プログラムコードを記憶可能な何れかの媒体を含む。
【０１２２】
最後に、上記の実施例は本発明を限定するよりも本発明の技術的方策を説明することを単に意図していることが留意されるべきである。本発明が上記の実施例を参照して詳細に説明されたが、当業者は、修正又は置換が対応する技術的方策の本質を本発明の実施例の技術的方策の保護範囲から逸脱させない限り、上記の実施例に説明された技術的方策に対して依然として修正してもよいし、又はそれの一部の技術的特徴に対して等価な置換をしてもよいことを理解すべきである。
【図１】
2016524393.tif 000003
【図２】
2016524393.tif 000004
【図３】
2016524393.tif 000005
【図４】
2016524393.tif 000006
【図５】
2016524393.tif 000007
【図６】
2016524393.tif 000008
【図７】
2016524393.tif 000009
【図８】
2016524393.tif 000010
【図９】
2016524393.tif 000011
【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
近接サービス許可方法であって、
第１のネットワーク側エンティティが、第１のユーザ装置により送信された第１のリクエストメッセージを受信するステップであって、前記第１のリクエストメッセージは、前記第１のユーザ装置の識別情報及びアプリケーション識別子を有する、受信するステップと、
前記第１のユーザ装置の取得された近接サービスコンフィギュレーションデータに少なくとも従って、前記第１のユーザ装置が前記アプリケーション識別子に対応する近接サービスを実行可能であると判定するステップと、
を有する近接サービス許可方法。
【請求項２】
前記第１のユーザ装置の近接サービスコンフィギュレーションデータを取得することは、前記第１のネットワーク側エンティティが、前記第１のユーザ装置により送信された第１の情報を受信することを有し、前記第１の情報は、以下の１つ以上、前記第１のユーザ装置が検出すること、検出されること、近接サービス通信を実行することが許可されているか、及び前記第１のユーザ装置の近接サービス通信の範囲を有する、請求項１記載の方法。
【請求項３】
前記第１のユーザ装置の近接サービスコンフィギュレーションデータを取得することは、前記第１のネットワーク側エンティティが、第２のネットワーク側エンティティにより送信された第１のユーザの第２の情報を受信することを有し、前記第２の情報は、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有する、請求項１記載の方法。
【請求項４】
前記第１のユーザ装置の近接サービス通信の範囲は、近接サービスを利用可能な前記第１のユーザ装置のアプリケーションの識別子を有する、請求項２又は３記載の方法。
【請求項５】
前記第１のユーザ装置がビジティッド・パブリック・ランド・モバイル・ネットワークＶＰＬＭＮにおいて近接サービスを実行することが許可され、且つ、前記第１のネットワーク側エンティティが前記ビジティッド・パブリック・ランド・モバイル・ネットワークＶＰＬＭＮのネットワーク側エンティティである場合、前記第１のユーザ装置の近接サービスコンフィギュレーションデータを取得することは、前記第１のネットワーク側エンティティが、第２のリクエストメッセージを第３のネットワーク側エンティティに送信することを有し、前記第３のネットワーク側エンティティが前記第２のリクエストメッセージに従って前記第１のユーザ装置の近接サービスコンフィギュレーションデータを前記第１のネットワーク側エンティティに送信するように、前記第２のリクエストメッセージは前記第１のユーザ装置の識別情報を有する、請求項１乃至４何れか一項記載の方法。
【請求項６】
前記第１のリクエストメッセージは更に第２のユーザ装置の識別情報を有し、前記第１のユーザ装置及び前記第２のユーザ装置は同一のパブリック・ランド・モバイル・ネットワークＰＬＭＮに属さず、
前記第１のネットワーク側エンティティが第１のユーザ装置により送信された第１のリクエストメッセージを受信するステップの後に、前記第１のネットワーク側エンティティが、前記第１のユーザ装置の取得された近接サービスコンフィギュレーションデータに少なくとも従って、前記第１のユーザ装置が前記アプリケーション識別子に対応するパブリック・ランド・モバイル・ネットワークＰＬＭＮ間の近接サービスを実行可能であると判定するステップを更に有する、請求項１乃至４何れか一項記載の方法。
【請求項７】
近接サービス許可方法であって、
第１のユーザ装置が、第１のリクエストメッセージを第１のネットワーク側エンティティに送信するステップであって、前記第１のネットワーク側エンティティが前記第１のユーザ装置の取得された近接サービスコンフィギュレーションデータに少なくとも従って、前記第１のユーザ装置がアプリケーション識別子に対応する近接サービスを実行可能であると判定するように、前記第１のリクエストメッセージは前記第１のユーザ装置の識別情報及び前記アプリケーション識別子を有する、送信するステップと、
前記第１のネットワーク側エンティティが、前記第１のユーザ装置が前記アプリケーション識別子に対応する近接サービスを実行可能であると判定した後に、前記第１のユーザ装置が、前記アプリケーション識別子に対応する近接サービスを実行するステップと、
を有する近接サービス許可方法。
【請求項８】
前記第１のユーザ装置の近接サービスコンフィギュレーションデータは、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有し、
前記第１のユーザ装置の近接サービス通信の範囲は、近接サービスを利用可能な前記第１のユーザ装置のアプリケーションの識別子を有する、請求項７記載の方法。
【請求項９】
第１のネットワーク側エンティティであって、
第１のユーザ装置により送信された第１のリクエストメッセージを受信するよう構成される受信モジュールであって、前記第１のリクエストメッセージは前記第１のユーザ装置の識別情報及びアプリケーション識別子を有する、受信モジュールと、
前記第１のユーザ装置の近接サービスコンフィギュレーションデータを取得するよう構成される取得モジュールと、
前記第１のユーザ装置の取得された近接サービスコンフィギュレーションデータに少なくとも従って、前記第１のユーザ装置が前記アプリケーション識別子に対応する近接サービスを実行可能であると判定するよう構成される判定モジュールと、
を有する第１のネットワーク側エンティティ。
【請求項１０】
前記取得モジュールは、前記第１のユーザ装置により送信された第１の情報を受信するよう構成され、前記第１の情報は、以下の１つ以上、前記第１のユーザ装置が検出すること、検出されること、近接サービス通信を実行することが許可されているか、及び前記第１のユーザ装置の近接サービス通信の範囲を有する、請求項９記載のネットワーク側エンティティ。
【請求項１１】
前記取得モジュールは更に、第２のネットワーク側エンティティにより送信された第１のユーザの第２の情報を受信するよう構成され、前記第２の情報は、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有する、請求項９記載のネットワーク側エンティティ。
【請求項１２】
前記第１のユーザ装置の近接サービス通信の範囲は、近接サービスを利用可能な前記第１のユーザ装置のアプリケーションの識別子を有する、請求項１０又は１１記載のネットワーク側エンティティ。
【請求項１３】
前記第１のユーザ装置がビジティッド・パブリック・ランド・モバイル・ネットワークＶＰＬＭＮにおいて近接サービスを実行することが許可され、且つ、前記第１のネットワーク側エンティティが前記ビジティッド・パブリック・ランド・モバイル・ネットワークＶＰＬＭＮのネットワーク側エンティティである場合、前記取得モジュールは、第３のネットワーク側エンティティが第２のリクエストメッセージに従って前記第１のユーザ装置の近接サービスコンフィギュレーションデータを前記第１のネットワーク側エンティティに送信するように、前記第２のリクエストメッセージを前記第３のネットワーク側エンティティに送信するよう構成され、前記第２のリクエストメッセージは前記第１のユーザ装置の識別情報を有する、請求項９乃至１２何れか一項記載のネットワーク側エンティティ。
【請求項１４】
前記第１のリクエストメッセージは更に第２のユーザ装置の識別情報を有し、前記第１のユーザ装置及び前記第２のユーザ装置は同一のパブリック・ランド・モバイル・ネットワークＰＬＭＮに属さず、
前記判定モジュールは更に、前記第１のユーザ装置の取得された近接サービスコンフィギュレーションデータに少なくとも従って、前記第１のユーザ装置が前記アプリケーション識別子に対応するパブリック・ランド・モバイル・ネットワークＰＬＭＮ間の近接サービスを実行可能であると判定するよう構成される、請求項９乃至１２何れか一項記載のネットワーク側エンティティ。
【請求項１５】
第１のユーザ装置であって、
第１のリクエストメッセージを第１のネットワーク側エンティティに送信するよう構成される送信モジュールであって、前記第１のネットワーク側エンティティが前記第１のユーザ装置の取得された近接サービスコンフィギュレーションデータに少なくとも従って、前記第１のユーザ装置がアプリケーション識別子に対応する近接サービスを実行可能であると判定するように、前記第１のリクエストメッセージは前記第１のユーザ装置の識別情報及び前記アプリケーション識別子を有する、送信モジュールと、
前記第１のネットワーク側エンティティが、前記第１のユーザ装置が前記アプリケーション識別子に対応する近接サービスを実行可能であると判定した後に、前記第１のユーザ装置が、前記アプリケーション識別子に対応する近接サービスを実行するよう構成される処理モジュールと、
を有する第１のユーザ装置。
【請求項１６】
前記第１のユーザ装置の近接サービスコンフィギュレーションデータは、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワークＶＰＬＭＮにおいて近接サービスを実行することが許可されているか、及び前記第１のユーザ装置がパブリック・セーフティ近接サービスを実行することが許可されているかを有し、
前記第１のユーザ装置の近接サービス通信の範囲は、近接サービスを利用可能な前記第１のユーザ装置のアプリケーションの識別子を有する、請求項１５記載の第１のユーザ装置。
【請求項１７】
第１のユーザ装置及び第１のネットワーク側エンティティを有する近接サービス許可システムであって、
前記第１のユーザ装置は、請求項１５又は１６記載の第１のユーザ装置であり、
前記第１のネットワーク側エンティティは、請求項９乃至１４何れか一項記載の第１のネットワーク側エンティティである近接サービス許可システム。
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
近接サービス許可方法であって、
第１のネットワーク側エンティティが、第１のユーザ装置により送信された第１のリクエストメッセージを受信するステップであって、前記第１のリクエストメッセージは、前記第１のユーザ装置の識別情報及びアプリケーション識別子を有する、受信するステップと、
前記第１のユーザ装置の取得された近接サービスコンフィギュレーションデータに少なくとも従って、前記第１のユーザ装置が前記アプリケーション識別子に対応する近接サービスを実行可能であると判定するステップと、
を有する近接サービス許可方法。
【請求項２】
前記第１のユーザ装置の近接サービスコンフィギュレーションデータを取得することは、前記第１のネットワーク側エンティティが、第２のネットワーク側エンティティにより送信された第１のユーザ装置の第２の情報を受信することを有し、前記第２の情報は、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワーク（ＶＰＬＭＮ）において近接サービスを実行することが許可されているか、及び前記第１のユーザ装置がパブリック・セーフティ近接サービスを実行することが許可されているかを有する、請求項１記載の方法。
【請求項３】
前記第１のユーザ装置の近接サービス通信の範囲は、近接サービスを利用可能な前記第１のユーザ装置のアプリケーションの識別子を有する、請求項２記載の方法。
【請求項４】
前記第１のユーザ装置がビジティッド・パブリック・ランド・モバイル・ネットワーク（ＶＰＬＭＮ）において近接サービスを実行することが許可され、且つ、前記第１のネットワーク側エンティティが前記ビジティッド・パブリック・ランド・モバイル・ネットワーク（ＶＰＬＭＮ）のネットワーク側エンティティである場合、前記第１のユーザ装置の近接サービスコンフィギュレーションデータを取得することは、前記第１のネットワーク側エンティティが、第２のリクエストメッセージを第３のネットワーク側エンティティに送信することを有し、前記第３のネットワーク側エンティティが前記第２のリクエストメッセージに従って前記第１のユーザ装置の近接サービスコンフィギュレーションデータを前記第１のネットワーク側エンティティに送信するように、前記第２のリクエストメッセージは前記第１のユーザ装置の識別情報を有する、請求項１乃至３何れか一項記載の方法。
【請求項５】
前記第１のリクエストメッセージは更に第２のユーザ装置の識別情報を有し、前記第１のユーザ装置及び前記第２のユーザ装置は同一のパブリック・ランド・モバイル・ネットワーク（ＰＬＭＮ）に属さず、
前記第１のネットワーク側エンティティが第１のユーザ装置により送信された第１のリクエストメッセージを受信するステップの後に、当該方法は、前記第１のネットワーク側エンティティが、前記第１のユーザ装置の取得された近接サービスコンフィギュレーションデータに少なくとも従って、前記第１のユーザ装置が前記アプリケーション識別子に対応するパブリック・ランド・モバイル・ネットワーク（ＰＬＭＮ）間の近接サービスを実行可能であると判定するステップを更に有する、請求項１乃至４何れか一項記載の方法。
【請求項６】
近接サービス許可方法であって、
第１のユーザ装置が、第１のリクエストメッセージを第１のネットワーク側エンティティに送信するステップであって、前記第１のネットワーク側エンティティが前記第１のユーザ装置の取得された近接サービスコンフィギュレーションデータに少なくとも従って、前記第１のユーザ装置がアプリケーション識別子に対応する近接サービスを実行可能であると判定するように、前記第１のリクエストメッセージは前記第１のユーザ装置の識別情報及び前記アプリケーション識別子を有する、送信するステップと、
前記第１のネットワーク側エンティティが、前記第１のユーザ装置が前記アプリケーション識別子に対応する近接サービスを実行可能であると判定した後に、前記第１のユーザ装置が、前記アプリケーション識別子に対応する近接サービスを実行するステップと、
を有する近接サービス許可方法。
【請求項７】
前記第１のユーザ装置の近接サービスコンフィギュレーションデータは、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワーク（ＶＰＬＭＮ）において近接サービスを実行することが許可されているか、及び前記第１のユーザ装置がパブリック・セーフティ近接サービスを実行することが許可されているかを有し、
前記第１のユーザ装置の近接サービス通信の範囲は、近接サービスを利用可能な前記第１のユーザ装置のアプリケーションの識別子を有する、請求項６記載の方法。
【請求項８】
第１のネットワーク側エンティティであって、
第１のユーザ装置により送信された第１のリクエストメッセージを受信するよう構成される受信モジュールであって、前記第１のリクエストメッセージは前記第１のユーザ装置の識別情報及びアプリケーション識別子を有する、受信モジュールと、
前記第１のユーザ装置の近接サービスコンフィギュレーションデータを取得するよう構成される取得モジュールと、
前記第１のユーザ装置の取得された近接サービスコンフィギュレーションデータに少なくとも従って、前記第１のユーザ装置が前記アプリケーション識別子に対応する近接サービスを実行可能であると判定するよう構成される判定モジュールと、
を有する第１のネットワーク側エンティティ。
【請求項９】
前記取得モジュールは更に、第２のネットワーク側エンティティにより送信された第１のユーザ装置の第２の情報を受信するよう構成され、前記第２の情報は、以下の１つ以上、前記第１のユーザ装置が検出すること、検出されること、近接サービス通信を実行することが許可されているか、前記第１のユーザ装置の近接サービス通信の範囲、前記第１のユーザ装置がパブリック・ランド・モバイル・ネットワークにわたって近接サービスを実行することが許可されているか、前記第１のユーザ装置がビジティッド・パブリック・ランド・モバイル・ネットワーク（ＶＰＬＭＮ）において近接サービスを実行することが許可されているか、及び前記第１のユーザ装置がパブリック・セーフティ近接サービスを実行することが許可されているかを有する、請求項８記載の第１のネットワーク側エンティティ。
【請求項１０】
前記第１のユーザ装置の近接サービス通信の範囲は、近接サービスを利用可能な前記第１のユーザ装置のアプリケーションの識別子を有する、請求項９記載の第１のネットワーク側エンティティ。
【請求項１１】
前記第１のユーザ装置がビジティッド・パブリック・ランド・モバイル・ネットワークＶＰＬＭＮにおいて近接サービスを実行することが許可され、且つ、前記第１のネットワーク側エンティティが前記ＶＰＬＭＮのネットワーク側エンティティである場合、前記取得モジュールは、第３のネットワーク側エンティティが第２のリクエストメッセージに従って前記第１のユーザ装置の近接サービスコンフィギュレーションデータを前記第１のネットワーク側エンティティに送信するように、前記第２のリクエストメッセージを前記第３のネットワーク側エンティティに送信するよう構成され、前記第２のリクエストメッセージは前記第１のユーザ装置の識別情報を有する、請求項８乃至１０何れか一項記載の第１のネットワーク側エンティティ。
【請求項１２】
前記第１のリクエストメッセージは更に第２のユーザ装置の識別情報を有し、前記第１のユーザ装置及び前記第２のユーザ装置は同一のパブリック・ランド・モバイル・ネットワークＰＬＭＮに属さず、
前記判定モジュールは更に、前記第１のユーザ装置の取得された近接サービスコンフィギュレーションデータに少なくとも従って、前記第１のユーザ装置が前記アプリケーション識別子に対応するパブリック・ランド・モバイル・ネットワーク（ＰＬＭＮ）間の近接サービスを実行可能であると判定するよう構成される、請求項８乃至１１何れか一項記載の第１のネットワーク側エンティティ。
【請求項１３】
ユーザ装置であって、
第１のリクエストメッセージを第１のネットワーク側エンティティに送信するよう構成される送信モジュールであって、前記第１のネットワーク側エンティティが前記ユーザ装置の取得された近接サービスコンフィギュレーションデータに少なくとも従って、前記ユーザ装置がアプリケーション識別子に対応する近接サービスを実行可能であると判定するように、前記第１のリクエストメッセージは前記ユーザ装置の識別情報及び前記アプリケーション識別子を有する、送信モジュールと、
前記第１のネットワーク側エンティティが、前記ユーザ装置が前記アプリケーション識別子に対応する近接サービスを実行可能であると判定した後に、前記アプリケーション識別子に対応する近接サービスを実行するよう構成される処理モジュールと、
を有するユーザ装置。
【請求項１４】
前記ユーザ装置の近接サービスコンフィギュレーションデータは、以下の１つ以上、前記ユーザ装置が検出すること、検出されること、近接サービス通信を実行することが許可されているか、前記ユーザ装置の近接サービス通信の範囲、前記ユーザ装置がパブリック・ランド・モバイル・ネットワークにわたって近接サービスを実行することが許可されているか、前記ユーザ装置がビジティッド・パブリック・ランド・モバイル・ネットワーク（ＶＰＬＭＮ）において近接サービスを実行することが許可されているか、及び前記ユーザ装置がパブリック・セーフティ近接サービスを実行することが許可されているかを有し、
前記ユーザ装置の近接サービス通信の範囲は、近接サービスを利用可能な前記ユーザ装置のアプリケーションの識別子を有する、請求項１３記載のユーザ装置。
【請求項１５】
ユーザ装置及び第１のネットワーク側エンティティを有する近接サービス許可システムであって、
前記ユーザ装置は、請求項１３又は１４記載のユーザ装置であり、
前記ネットワーク側エンティティは、請求項８乃至１２何れか一項記載の第１のネットワーク側エンティティである近接サービス許可システム。
【手続補正２】
【補正対象書類名】明細書
【補正対象項目名】００３９
【補正方法】変更
【補正の内容】
【００３９】
例えば、第１のユーザ装置の近接サービス通信の範囲は、アプリケーション識別子（ａｐｐｌｉｃａｔｉｏｎ  ＩＤ）又はアプリケーション識別子としてマッピング可能な他の識別子など、近接サービスを利用可能な第１のユーザ装置のアプリケーションの識別子を有する。
【手続補正３】
【補正対象書類名】明細書
【補正対象項目名】００９５
【補正方法】変更
【補正の内容】
【００９５】
他の例について、取得モジュール５２は更に、具体的には、第２のネットワーク側エンティティにより送信された第１のユーザ装置の第２の情報を受信するよう構成され、第２の情報は、以下の１つ以上、第１のユーザ装置が検出すること、検出されること、近接サービス通信を実行することが許可されているか、第１のユーザ装置の近接サービス通信の範囲、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているかを有する。
【手続補正４】
【補正対象書類名】明細書
【補正対象項目名】０１０７
【補正方法】変更
【補正の内容】
【０１０７】
例えば、第１のユーザ装置の近接サービスコンフィギュレーションデータを取得することは、
第２のネットワーク側エンティティにより送信された第１のユーザ装置の第２の情報を受信することを有し、ここで、第２の情報は、以下の１つ以上、第１のユーザ装置が検出すること、検出されること、近接サービス通信を実行することが許可されているか、第１のユーザ装置の近接サービス通信の範囲、第１のユーザ装置がパブリック・ランド・モバイル・ネットワークにわたって近接サービスを実行することが許可されているか、第１のユーザ装置がビジティッド・パブリック・ランド・モバイル・ネットワークＶＰＬＭＮにおいて近接サービスを実行することが許可されているか、及び第１のユーザ装置がパブリック・セーフティ近接サービスを実行することが許可されているかを有する。
【国際調査報告】
2016524393.tif 000012
2016524393.tif 000013
2016524393.tif 000014
2016524393.tif 000015